(57)【要約】【課題】  その上面における雨水等の表面水の排水効率に優れた排水用ブロックを提供する。【解決手段】  内部に長手方向に沿う排水路４を有して筒形状をなすブロック本体２の上面３に、前記排水路４に連通する１又は複数種類の流入孔５を長手方向に間隔をあけて複数設け、前記上面３を長手方向と直交する幅方向の両端部又は一端部から流入孔５に向かう斜降状の傾斜面とし、前記複数の流入孔５により、ブロック本体２の上面３に長手方向にほぼ沿う方向を指向する流入部６と、長手方向と交差方向を指向する流入部７とを混在して形成する。又、流入孔５を２種類とし、一方の流入孔５は長手方向にほぼ沿う細長状孔５ａに、屈折状に交差して溝部５ｂを少なくとも１連通し、その溝部底面５ｃを細長状孔５ａに向かって斜降状の傾斜面とし、他方の流入孔５′は長手方向とほぼ直交する細長状孔５ａとなす。【選択図】  図１
2007092502.tif 000002
【特許請求の範囲】
【請求項１】
内部に長手方向に沿う排水路（４）を有して筒形状をなすブロック本体（２）の上面（３）に、前記排水路（４）に連通する１又は複数種類の流入孔（５）が長手方向に間隔をあけて複数設けられるとともに、前記上面（３）が長手方向と直交する幅方向の両端部又は一端部から流入孔（５）に向かって斜降状の傾斜面となされ、前記複数の流入孔（５）により、ブロック本体（２）の上面（３）に長手方向にほぼ沿う方向を指向する流入部（６）と、長手方向と交差方向を指向する流入部（７）とが混在して形成されてなる排水用ブロック。
【請求項２】
流入孔（５）が２種類設けられ、一方の流入孔（５）は長手方向にほぼ沿う細長状孔（５ａ）に、屈折状に交わる溝部（５ｂ）が少なくとも１連通されて形成されるとともに、溝部底面（５ｃ）が細長状孔（５ａ）に向かって斜降状の傾斜面となされ、他方の流入孔（５′）は長手方向とほぼ直交する細長状孔（５ａ）となされた請求項１記載の排水用ブロック。
【請求項３】
一方の流入孔（５）における溝部（５ｂ）が、細長状孔（５ａ）にほぼ直交するとともに、その長手方向の異なる位置又は同一位置で、該細長状孔（５ａ）を挟んで反対側に夫々設けられてなる請求項２記載の排水用ブロック。
【請求項４】
内部に長手方向に沿う排水路（４）を有して筒形状をなすブロック本体（２）の上面（３）に、前記排水路（４）に連通する流入孔（５）が２種類設けられ、一方の流入孔（５）は長手方向にほぼ沿う細長状孔（５ａ）の末端に溝部（５ｂ）がほぼく字状又はほぼ逆く字状に連通されて三叉状を呈し、且つ溝部底面（５ｃ）が細長状孔（５ａ）に向かって斜降状の傾斜面となされ、他方の流入孔（５′）は長手方向とほぼ直交する細長状孔（５ａ）となされるとともに、前記上面（３）が長手方向と直交する幅方向の両端部又は一端部から流入孔（５），（５′）に向かって斜降状の傾斜面となされた排水用ブロック。
【請求項５】
一方の流入孔（５）における細長状孔（５ａ）及び／又は他方の流入孔（５′）をなす細長状孔（５ａ）の上端縁の一部又は全体が段状をなすべく、上面（３）から凹陥する凹段部（５ｆ）がその上端外側に連設されてなる請求項１乃至４の何れかに記載の排水用ブロック。
【請求項６】
一方の流入孔（５）における溝部（５ｂ）の一部又は全体が穿設されて排水路（４）に連通する孔状となされた請求項２乃至５の何れかに記載の排水用ブロック。
【請求項７】
一方の流入孔（５）における細長状孔（５ａ）及び／又は他方の流入孔（５′）をなす細長状孔（５ａ）の長さ方向一端又は両側に、該長さ方向に沿う溝部（５ｂ）が連通され、その溝部底面（５ｃ）が細長状孔（５ａ）に向かって斜降状の傾斜面となされた請求項２乃至５の何れかに記載の排水用ブロック。
【請求項８】
溝部（５ｂ）の上端縁の一部又は全体が段状をなすべく、上面（３）から凹陥する凹段部（５ｆ）がその上端外側に連設されてなる請求項２乃至７の何れかに記載の排水用ブロック。
【発明の詳細な説明】
【技術分野】
【０００１】  本発明は、舗装路面や広場等における雨水等の表面水を排水するために道路の縦、横断部等や公園、駐車場、宅地等の地表面に埋設施工される排水用ブロックに関するものである。
【背景技術】
【０００２】  従来、この種の排水用ブロックとしては、内部に長手方向に沿う排水路を有するブロック本体の上面が長手方向と直交する幅方向の断面Ｖ形溝状となされ、前記上面のほぼ中央部（最低部）に長手方向と直交する細長状の流入孔が長手方向に間隔をあけて複数設けられ、前記Ｖ形溝状をなす上面により、路面上等から流入する雨水等の表面水が集水されて流入孔を介して下部の排水路に流下、排水されるものがある。
【特許文献１】  実開平５−１６８８６号公報
【発明の開示】
【発明が解決しようとする課題】
【０００３】  しかしながら、かかる従来の排水用ブロックは、ブロック本体上面の流入孔が単に長手方向と直交する細長状孔となされているだけであるため、上面が長手方向に勾配を付して施工され、路面上等から流入して上面を長手方向に沿って流下する雨水等の表面水の排水に対して流入孔が有効に作用するものの、長手方向と直交若しくは適宜角度をなして路面上等から斜めにＶ形溝状の上面に流入する表面水等の排水に対しては流入孔が必ずしも前記程有効に作用せず、流入した表面水等が上面を横断して反対側に越流する等、速やかな排水が行い難く、又、増水時には排水効率が不十分となって上面に表面水が滞りやすいといった問題点があった。
本発明はかかる従来の問題点に鑑みてなされたものであって、その上面における雨水等の表面水の排水効率に優れた排水用ブロックを提供することを課題としている。
【課題を解決するための手段】
【０００４】  上記課題を解決するため、本発明の排水用ブロックは、請求項１に記載の如く、内部に長手方向に沿う排水路４を有して筒形状をなすブロック本体２の上面３に、前記排水路４に連通する１又は複数種類の流入孔５が長手方向に間隔をあけて複数設けられるとともに、前記上面３が長手方向と直交する幅方向の両端部又は一端部から流入孔５に向かって斜降状の傾斜面となされ、前記複数の流入孔５により、ブロック本体２の上面３に長手方向にほぼ沿う方向を指向する流入部６と、長手方向と交差方向を指向する流入部７とが混在して形成されてなるものである。【０００５】  又、本発明の排水用ブロックは、請求項２に記載の如く、上記請求項１に係る排水用ブロックにおいて、流入孔５が２種類設けられ、一方の流入孔５は長手方向にほぼ沿う細長状孔５ａに、屈折状に交わる溝部５ｂが少なくとも１連通されて形成されるとともに、溝部底面５ｃが細長状孔５ａに向かって斜降状の傾斜面となされ、他方の流入孔５′は長手方向とほぼ直交する細長状孔５ａとなされた構成を採用することができる。【０００６】  又、本発明の排水用ブロックは、請求項３に記載の如く、上記請求項２に係る排水用ブロックにおいて、一方の流入孔５における溝部５ｂが、細長状孔５ａにほぼ直交するとともに、その長手方向の異なる位置又は同一位置で細長状孔５ａを挟んで反対側に夫々設けられてなる構成を採用することができる。【０００７】  又、本発明の排水用ブロックは、請求項４に記載の如く、内部に長手方向に沿う排水路４を有して筒形状をなすブロック本体２の上面３に、前記排水路４に連通する流入孔５が２種類設けられ、一方の流入孔５は長手方向にほぼ沿う細長状孔５ａの末端に溝部５ｂがほぼく字状又はほぼ逆く字状に連通されて三叉上を呈し、且つ溝部底面５ｃが細長状孔５ａに向かって斜降状の傾斜面となされ、他方の流入孔５′は長手方向とほぼ直交する細長状孔５ａとなされるとともに、前記上面３が長手方向と直交する幅方向の両端部又は一端部から流入孔５，５′に向かって斜降状の傾斜面となされて形成されたものである。【０００８】  又、本発明の排水用ブロックは、請求項５に記載の如く、上記請求項１乃至４に係る排水用ブロックにおいて、一方の流入孔５における細長状孔５ａ及び／又は他方の流入孔５′をなす細長状孔５ａの上端縁の一部又は全体が段状をなすべく、上面３から凹陥する凹段部５ｆがその上端外側に連設されてなる構成を採用することができる。【０００９】  又、本発明の排水用ブロックは、請求項６に記載の如く、上記請求項２乃至５に係る排水用ブロックにおいて、一方の流入孔５における溝部５ｂの一部又は全部が穿設されて排水路４に連通する孔状となされた構成を採用することができる。【００１０】  又、本発明の排水用ブロックは、請求項７に記載の如く、上記請求項２乃至５に係る排水用ブロックにおいて、一方の流入孔５における細長状孔５ａ及び／又は他方の流入孔５′をなす細長状孔５ａの長さ方向一端又は両側に、該長さ方向に沿う溝部５ｂが連通され、その溝部底面５ｃが細長状孔５ａに向かって斜降状の傾斜面となされた構成を採用することができる。【００１１】  又、本発明の排水用ブロックは、請求項８に記載の��く、上記請求項２乃至７に係る排水用ブロックにおいて、溝部５ｂの上端縁の一部又は全体が段状をなすべく、上面３から凹陥する凹段部５ｆがその上端外側に連設されてなる構成を採用することができる。
【発明の効果】
【００１２】  本発明の排水用ブロックは、ブロック本体の上面に設けられた複数の流入孔により、前記上面に長手方向にほぼ沿う方向を指向する流入部と、長手方向と交差方向を指向する流入部とが混在して形成されてなるために、排水用ブロックの施工に際し、上面がその長手方向に向けた一連の勾配を有してブロック本体相互が複数連結されると、路面上等から流入して上面を長手方向に沿って流下する雨水等の表面水を、主として長手方向と交差方向を指向することで上記表面水の流下方向と交差する流入部から速やかに排水できるとともに、長手方向と直交若しくは適宜角度をなして路面上等から斜めに上面へ流入する表面水を、主として長手方向にほぼ沿う方向を指向することで上記表面水の流入方向と交差する流入部から速やかに排水でき、上面における排水性、即ち、流水方向が夫々異なる表面水を各流入部から取り込んで排水用ブロックに内在せる排水路へ落下、流入させる効率を高め、流量の増加時にあっても滞水等することなく効率よく排水できる。【００１３】  又、本発明の排水用ブロックは、流入孔が２種類設けられ、一方の流入孔は長手方向にほぼ沿う細長状孔に、屈折状に交わる溝部が少なくとも１連通されて形成され、例えて平面視ほぼＴ字状又は逆Ｔ字状となされるか、或いは、一方の流入孔における溝部が細長状孔にほぼ直交するとともに、その長手方向の異なる位置又は同一位置で細長状孔を挟んで反対側に夫々設けられ、且つ溝部底面が細長状孔に向かって斜降状の傾斜面となされ、他方の流入孔は長手方向とほぼ直交する細長状孔となされているために、一方及び他方の細長状孔が前記流入部となって前記と同様の効果を奏する。
更に、一方の流入孔にあっては、細長状孔の長手方向と直交する両側の上面において、その長手方向或いは適宜角度を有して斜め方向に流下する表面水を、該表面水の流下方向と交差位置にある溝部により集水し、その底面たる斜降状傾斜面よって細長状孔に導いて排水路へ速やかに落下、流入させることができるとともに、たとえ表面水が溝部を横切って長手方向へ越流しても、越流水は溝部によって流速が減じられて傾斜する上面に沿い越流側の長手方向で溝部に連設せる細長状孔に逐次流入するので排水効率がよい。
而して、一方の流入孔における溝部が細長状孔を挟んで反対側に夫々設けられると（溝部が両側に設けられると）、細長状孔への落下、流入に際して細長状孔周囲の上面に集積し、細長状孔を中心として渦を巻く表面水の回動方向と交差する位置に細長状孔及び両溝部が位置し、細長状孔での集水と併せて上記両溝部の形状抵抗により細長状孔の両側での上記回動を抑制するとともに、両溝部を介して速やか、且つ、多量に表面水を細長状孔に導いて排水路へ効率よく流入させることができる。
加えて、溝部が細長状孔の長手方向の異なる位置で細長状孔を挟んで反対側に夫々設けられると（溝部相互が間隔をあけて両側に設けられると）、両溝部に流入してその底面たる斜降状傾斜面に沿いその両側から細長状孔に向かって導かれる流水相互が細長状孔の入口で相対向せず、接触、合流することなく長手方向の異なる位置から夫々別々に細長状孔へ流入することで、流入に際する抵抗、損失を減衰せしめて更に排水効率を高めることができる。
更に又、一方の流入孔はその全体が排水路に連通する孔状ではなく、細長状孔の上端に上面から凹陥する溝部が連通して形成されるため、流入孔を設けることによるブロック本体の上面の断面欠損、強度損失を少なくせしめてその強度維持を図ることができる。【００１４】  又、本発明の排水用ブロックは、２種類設けられる流入孔の一方が長手方向にほぼ沿う細長状孔の末端に溝部がほぼく字状又はほぼ逆く字状に連通されて三叉上を呈し、且つ溝部底面が細長状孔に向かって斜降状の傾斜面となされ、他方の流入孔は長手方向とほぼ直交する細長状孔となされているために、一方及び他方の細長状孔が前記流入孔となり、更に、ほぼく字状又はほぼ逆く字状の溝部が前記直交状の溝部と同様の作用を奏し、前記と同様の排水効果を奏する（但し、前記の溝部相互が間隔をあけて両側に設けられる場合に奏する効果は除く）。【００１５】  又、本発明の排水用ブロックは、一方の流入孔における細長状孔及び／又は他方の流入孔をなす細長状孔の上端縁の一部又は全体が段状をなすべく、上面から凹陥する凹段部がその上端外側に連設されてなるために、各流入部を形成する細長状孔の上面における開口度合を増大させることなく、その上縁で凹段部が集水域を広めると同時に、上面と細長状孔との間で段状を呈することで上面の表面水に対して漏斗作用を奏し、細長状孔内への表面水の流入、落下を促進せしめて高い排水効率を得ることができる。
更に、凹段部は上記溝部と同様に、ブロック本体の上面に対する断面欠損、強度損失が小さいため、その強度維持に寄与することができる。【００１６】  又、本発明の排水用ブロックは、一方の流入孔における溝部の一部又は全体が穿設されて排水路に連通する孔状となされているために、その上面に表出する態様によって上記と同様の排水効果を奏するとともに、一方及び他方の流入孔が共に排水路と直接連通して排水処理量を一段と増大させることができる。【００１７】  又、本発明の排水用ブロックは、一方の流入孔における細長状孔及び／又は他方の流入孔をなす細長状孔の長さ方向一端又は両側に、該長さ方向に沿う溝部が連通され、その溝部底面が細長状孔に向かって斜降状の傾斜面となされているために、排水路と直接連通してなる細長状孔の長さを長くすることなく、換言すれば、ブロック本体の上面の断面欠損、強度損失を極力抑えて、上面の長手方向とほぼ直交方向に延設される溝部によって、その長手方向に沿って流下する表面水を効率よく集水するとともに、溝部底面たる斜降状傾斜面により上記細長状孔に導いて排水路へ速やかに落下、流入させることができる。【００１８】  又、本発明の排水用ブロックは、溝部の上端縁の一部又は全体が段状をなすべく、上面から凹陥する凹段部がその上端外側に連設されてなるために、上記細長状孔に連設された凹段部と同様に、高い排水効率が得られると同時にブロック本体の強度維持を図ることができる。
【発明を実施するための最良の形態】
【００１９】  以下、図面を参照しながら本発明の実施の形態について説明する。
図１は本発明の排水用ブロックの一実施の形態を示し、１は本実施形態の排水用ブロックであって、横長状で主としてコンクリート製のブロック本体２の内部に長手方向にわたり断面円形状の排水路４が貫設されて筒形状をなし、ブロック本体２の上面３が長手方向とほぼ直交する幅方向の両端部からほぼ中央部に向かって斜降状の傾斜面となされ、該上面３の幅方向ほぼ中央部に、図１（ロ）に示す如く前記排水路４に連通する２種類の流入孔５，５′が長手方向に間隔をあけて交互に複数設けられてなる。【００２０】  ２種類の流入孔５，５′の内、一方の流入孔５は、図２（イ）及び（ロ）に示すように、ブロック本体２の長手方向にほぼ沿い上面３の最低部近傍に位置する細長状孔５ａに屈折状、具体的には細長状孔５ａにほぼ直交して連通する溝部５ｂが、前記細長状孔５ａの長手方向の異なる位置、詳しくは細長状孔５ａの中央部から互いに異なる長手方向末端側に離隔した位置で細長状孔５ａを挟んで反対側に夫々設けられ、排水効率の面から各溝部５ｂと細長状孔５ａとの連通部が相対向しないようになされるとともに、各溝部５ｂは細長状孔５ａの長手方向中央部寄りに位置され、且つ各溝部底面５ｃが夫々細長状孔５ａに向かって斜降状の傾斜面となされている。加えて、該溝部底面５ｃは、排水効率の面から細長状孔５ａとの連通側が、急斜面５ｃ′となされて二段勾配を有している。
該流入孔５は本来の排水孔をなす細長状孔５ａに導水用の溝部５ｂが連通されることにより、ブロック本体２の上面３での開口面積を広くしてその集水及び排水性が良好な状態に確保されるとともに、流入孔５の穿設に伴うブロック本体２の上面３の断面欠損、強度損失を少なく（流入孔５全体が排水路４に連通する孔状でないため）して十分な強度維持が図られている。【００２１】  又、他方の流入孔５′は、図１（ロ）及び（ホ）に示すように、ブロック本体２の長手方向とほぼ直交しその中央部が上面３の最低部近傍に位置する細長状孔５ａとなされている。
尚、本実施形態では、図１（ロ）乃至（ニ）に示すように、該流入孔５′はブロック本体２の長手方向中央部に設けられるとともに、長手方向両端部に当該流入孔５′が半割り状態で夫々設けられ（長手方向両端面に排水路４と連通する切欠凹部が設けられて形成される）、該半割り状態の流入孔５′は排水用ブロック１の連結施工時に互いに隣合う排水用ブロック１の半割り状態の流入孔５′どうしが突き合わされることにより前記細長状孔５ａとなされる。
即ち、ブロック本体２の上面３に、前記一方の流入孔５の細長状孔５ａによる長手方向にほぼ沿う方向を指向する流入部６と、一方の流入孔５の溝部５ｂと他方の流入孔５′をなす細長状孔５ａによる長手方向と交差方向、即ち、ほぼ直交する流入部７とが混在して形成されてなる。【００２２】  尚、図１（イ）乃至（ヘ）に示すように、ブロック本体２の長手方向両端面の下位両側には本体部分から突出するフランジ８が夫々設けられるとともに、ブロック本体２の正面側にあるフランジ８部分と、該フランジ８の上下斜め対角線上に位置する本体部分にブロック連結用のボルト孔９が設けられ、ブロック本体２の長手方向一端面には止水パッキン１０が設けられている。【００２３】  しかして、本実施形態の排水用ブロック１は、例えば道路の縦、横断部等、地表面に、ブロック本体２の上面３が長手方向に勾配を付して複数連結されて埋設施工されると、路面上から前記上面３に流入、集積されて上面３を長手方向に沿って流下する雨水等の表面水が、主として長手方向とほぼ直交することで上記表面水の流下方向と交差する流入部７（流入孔５の溝部５ｂと流入孔５′）から排水路４に流下されるとともに、長手方向と直交若しくは適宜角度をなして斜めに上面３へ流入する表面水が、主として長手方向にほぼ沿う方向を指向することで上記表面水の流入方向と交差する流入部６（流入孔５の細長状孔５ａ）から排水路４に流下、排水される。
又、一方の流入孔５にあっては、図２（ハ）に示す如く、細長状孔５ａへの落下、流入に際して細長状孔５ａの周囲の上面３に集積し、細長状孔５ａの中央部を中心として渦を巻く表面水Ｗの回動方向と交差する位置に細長状孔５ａと両溝部５ｂとが位置し、細長状孔５ａでの表面水Ｗの集水、流入と併せて、上記両溝部５ｂの形状抵抗により細長状孔５ａの両側での上記回動を抑制するとともに、両溝部５ｂにおいても表面水Ｗを細長状孔５ａに導き排水する。
ここで、たとえ表面水Ｗが溝部５ｂを横切って上面３の長手方向側へ越流しても、越流水は溝部５ｂの形状抵抗によりその流速が減じられ、ブロック本体２の幅方向中央部に向かって斜降状をなす上面３に導かれ越流側の長手方向で溝部５ｂに連設せる細長状孔５ａに逐次流入する。又、表面水Ｗが細長状孔５ａを横切って上面３の幅方向側へ越流しても、越流水はブロック本体２の幅方向端部に向かって上向き傾斜状となる上面３に接しその流速が減じられて隣設せる溝部５ｂに導かれ細長状孔５ａに逐次流入する。
加えて、各溝部５ｂと細長状孔５ａとの連通部が夫々離隔して相対向しないようになされていることから、各溝部５ｂによって導水されその両側から細長状孔５ａに向かって流下する表面水Ｗ相互が細長状孔５ａへの流入時に互いに接触、合流することなく長手方向の異なる位置から夫々別々に細長状孔５ａへ流入することで、流入に際する抵抗、損失を減衰することができる。
以上のようにして、上面３上の表面水は流入孔５，５′に導かれて排水路４に速やかに流下するようなされ、上面３での排水効率の向上が図られている。【００２４】  図３は本発明の排水用ブロックの他実施の形態を示し、本実施形態の排水用ブロック１は、上記実施形態のものと流入孔５が一部異なる他は上記実施形態のものと同様であって、同様部分の説明は上記のものを援用する。
本実施形態の排水用ブロック１でも、２種類の流入孔５，５′が長手方向に間隔をあけて交互に複数設けられてなり、一方の流入孔５は図３（ロ）及び（ハ）に示すように、長手方向にほぼ沿い上面３の最低部近傍に位置した細長状孔５ａにほぼ直交する溝部５ｂが、細長状孔５ａの長手方向の同一位置（ほぼ中央部）で対称的に連通されて平面視ほぼ十字状となされるとともに、溝部底面５ｃが細長状孔５ａに向かって斜降状の傾斜面となされている。
該流入孔５も本来の排水孔をなす細長状孔５ａに導水用の溝部５ｂが連通されることにより、ブロック本体２の上面３での開口面積を広くしてその集水及び排水性が良好な状態に確保されるとともに、流入孔５の穿設に伴うブロック本体２の上面３の断面欠損、強度損失を少なく（流入孔５全体が排水路４に連通する孔状でないため）して十分な強度維持が図られている。【００２５】  他方の流入孔５′も上記実施形態のものと同様に、長手方向とほぼ直交しその中央部が上面３の最低部近傍に位置する細長状孔５ａとなされ、図３（イ）に示すように、ブロック本体２の長手方向中央部に設けられるとともに、長手方向両端部に当該流入孔５′が半割り状態で夫々設けられている。
即ち、ブロック本体２の上面３に、前記一方の流入孔５の細長状孔５ａによる長手方向にほぼ沿う方向を指向する流入部６と、一方の流入孔５の溝部５ｂと他方の流入孔５′をなす細長状孔５ａによる長手方向とほぼ直交する流入部７とが混在して形成されてなる。【００２６】  しかして、本実施形態の排水用ブロック１にあっても、上記実施形態と同様に、上面３を長手方向に沿って流下する表面水が、主として長手方向とほぼ直交する流入部７（表面水の流下方向と交差する流入孔５の溝部５ｂと流入孔５′）から排水路４に流下、排水されるとともに、長手方向と直交若しくは適宜角度をなして斜めに上面３へ流入する表面水が、主として長手方向にほぼ沿う方向を指向する流入部６（表面水の流入方向と交差する流入孔５の細長状孔５ａ）から排水路４に流下、排水される。
又、一方の流入孔５にあっては、その落下、流入に際して渦巻き状を呈する表面水が、その回動方向との交差位置ある細長状孔５ａに流入、或いは、両溝部５ｂに流入し細長状孔５ａに導かれて排水路４に排水されるとともに、前記渦巻き状を呈する表面水がたとえ溝部５ｂ（又は細長状孔５ａ）を横切って越流しても、該越流水はその中央部に向かって斜降状をなす上面３に沿い細長状孔５ａ（又はその端部に向かって上向き傾斜面となる上面３の抵抗で溝部５ｂ）に導かれて排水路４に速やかに流下され、排水効率の向上が図られている。【００２７】  図４は本発明の排水用ブロックの一実施の形態を示し、本実施形態の排水用ブロック１は、上記各実施形態のものと流入孔５が一部異なる他は上記各実施形態のものと同様であって、その同様部分の説明は上記のものを援用する。
本実施形態の排水用ブロック１にあっても、２種類の流入孔５，５′が長手方向に間隔をあけて交互に複数設けられてなり、一方の流入孔５は図４（イ）に示すように、長手方向にほぼ沿い上面３の最低部近傍に位置した細長状孔５ａの一末端に２つの溝部５ｂがほぼく字状（右側）又はほぼ逆く字状（左側）に連通されて、流入孔５全体が平面視ほぼ三叉状となされている。
上記溝部５ｂは、図４（ロ）及び（ニ）示す如く、その溝部底面５ｃが細長状孔５ａに向かって斜降状の傾斜面となされ、且つ終端側（細長状孔５ａとの連通側）一部が穿設されて孔状部５ｄとなされ、細長状孔５ａと共に排水路４に連通している。
該流入孔５も本来の排水孔をなす細長状孔５ａに導水用の溝部５ｂが連通されることにより、ブロック本体２の上面３での開口面積を広くしてその集水及び排水性が良好な状態に確保されるとともに、流入孔５の穿設に伴うブロック本体２の上面３の断面欠損、強度損失を少なくし（流入孔５全体が排水路４に連通する孔状でないため）、特に三叉状の交差部に残存する上面３の隅部角度を鈍角として該所のカケ等破損を未然に防止することで、十分な強度維持を図っている。【００２８】  他方の流入孔５′も上記各実施形態のものと同様で、長手方向とほぼ直交し、中央部が上面３の最低部近傍に位置する細長状孔５ａとなされ、図４（イ）に示す如く、ブロック本体２の長手方向中央部に設けられるとともに、長手方向両端部に当該流入孔５′が半割り状態で夫々設けられている。
即ち、ブロック本体２の上面３に、前記一方の流入孔５の細長状孔５ａによる長手方向にほぼ沿う方向を指向する流入部６と、一方の流入孔５の溝部５ｂ（一部孔状部５ｄ）と他方の流入孔５′をなす細長状孔５ａによる長手方向と交差方向を指向する流入部７とが混在して形成されてなる。【００２９】  しかして、本実施形態の排水用ブロック１にあっても、上記各実施形態と同様に、上面３を長手方向に沿って流下する表面水が、主として長手方向と交差方向を指向する流入部７（表面水の流下方向と交差する流入孔５の溝部５ｂ（一部孔状部５ｄ）と流入孔５′）から排水路４に流下、排水されるとともに、長手方向と直交若しくは適宜角度をなして斜めに上面３へ流入する表面水が、主として長手方向にほぼ沿う方向を指向する流入部６（表面水の流入方向と交差する流入孔５の細長状孔５ａ）から排水路４に流下、排水される。
又、一方の流入孔５にあっては、図４（ロ）に示す如く、その落下、流入に際して渦巻き状を呈する表面水Ｗが、その回動方向との交差位置ある細長状孔５ａに流入、或いは、両溝部５ｂ（一部孔状部５ｄ）に流入し細長状孔５ａに導かれて排水路４に排水される。ここで、三叉状を呈する細長状孔５ａと両溝部５ｂは、その形状抵抗によって上記表面水Ｗの回転を抑制することができて、上記排水を助勢する作用を奏する。
而して、前記渦巻き状を呈する表面水がたとえ一溝部５ｂ又は一細長状孔５ａを横切って越流しても、該越流水はその回転方向に一定角度をもって三叉状に配された溝部５ｂ又は細長状孔５ａに順次接し、流速が減じられて逐次溝部５ｂ及び細長状孔５ａに流下され、上面３での排水効率の向上が図られている。【００３０】  尚、上記実施形態における一方の流入孔５は、細長状孔５ａと溝部５ｂ（一部孔状部５ｄ）とにより形成されているが、該流入孔５は図４（ホ）に示す如く、細長状孔５ａの長さ方向一端に溝部５ｂが設けられ、その溝部底面５ｃが細長状孔５ａに向かって斜降状の傾斜面となされるとともに、溝部５ｂの終端側にある孔状部５ｄが大きくなされてもよく、又、図４（ヘ）に示す如く、溝部５ｂを孔状部５ｄ（排水路４と連通）となし、該孔状部５ｄ及び／又は細長状孔５ａの上端縁の長さ方向末端部に後述の凹段部５ｆ（細長状孔５ａ部は破線で示す）が設けられてもよい。
尚又、三叉状をなす交差角度や、細長状孔５ａ、溝部５ｂ（一部孔状部５ｄ）の長さは、適宜に変更可能であることは無論である。【００３１】  図５は本発明の排水用ブロックの他実施の形態を示し、本実施形態の排水用ブロック１は、上記実施形態のものと流入孔５が一部異なる他は上記実施形態のものと同様であって、同様部分の説明は上記のものを援用する。
本実施形態の排水用ブロック１でも、２種類の流入孔５，５′が長手方向に間隔をあけて交互に複数設けられてなり、一方の流入孔５は長手方向にほぼ沿い上面３の最低部近傍に位置した細長状孔５ａと交差方向を指向する溝部５ｂが片側に連通されて平面視ほぼＴ字形（左側）及びほぼ横向きト字形（右側）となされるとともに、その溝部底面５ｃは細長状孔５ａに向かって斜降状の傾斜面となされている。
該流入孔５も導水用の溝部５ｂを有して上面３での開口面積が広くなされ、又、流入孔５の穿設に伴う上面３の断面欠損、強度損失が抑制（流入孔５全体が孔状でないため）されて、その集水及び排水性並びに強度維持が図られている。
又、他方の流入孔５′も上記実施形態のものと同様に、長手方向とほぼ直交しその中央部が上面３の最低部近傍に位置する細長状孔５ａとなされ、ブロック本体２の長手方向中央部に設けられ、且つ、長手方向両端部に当該流入孔５′が半割り状態で夫々設けられている。【００３２】  即ち、ブロック本体２の上面３に、前記一方の流入孔５の細長状孔５ａによる長手方向にほぼ沿う流入部６と、一方の流入孔５の溝部５ｂと他方の流入孔５′をなす細長状孔５ａによる長手方向と交差方向を指向する流入部７とが混在して形成されてなり、本実施形態の排水用ブロック１にあっても、上面３上の表面水が各流入部６，７から上記実施形態の説明とほぼ同様にして排水路４に流下され、排水効率の向上が図られている。【００３３】  図６は本発明の排水用ブロックの他実施の形態を示し、本実施形態の排水用ブロック１は、上記図１に示す実施形態のものと流入孔５が一部異なる他は上記実施形態のものと同様であって、同様部分の説明は上記のものを援用する。
本実施形態の排水用ブロック１でも、開口方向が異なる２種類の流入孔５，５′が長手方向に間隔をあけて交互に複数設けられてなり、一方の流入孔５は長手方向にほぼ沿い上面３の最低部近傍に位置した細長状孔５ａとなされ、他方の流入孔５′は上記実施形態のものと同様に、長手方向とほぼ直交しその中央部が上面３の最低部近傍に位置する細長状孔５ａとなされ、該流入孔５′はブロック本体２の長手方向中央部に設けられるとともに、長手方向両端部に当該流入孔５′が半割り状態で夫々設けられている。
即ち、ブロック本体２の上面３に、前記一方の流入孔５による長手方向にほぼ沿う方向を指向する流入部６と、他方の流入孔５′による長手方向と交差方向を指向する流入部７とが混在して形成されてなる。【００３４】  図７（イ）乃至（ハ）及び図８（イ）、（ロ）は本発明の排水用ブロックの他実施の形態を示し、本実施形態の排水用ブロック１は、幅方向の両端から内側に向かって斜降状の傾斜面となされた上面３の最低部が、その幅方向一端寄り（背面側）に片寄って位置され、該最低部に連なって背面側一端部に至る一傾斜面が急斜面となされた点、及びかかる上面３に穿設された細長状孔５ａからなる流入孔５，５′の位置、詳しくは、長手方向に沿い一方の流入孔５をなす細長状孔５ａは、背面側に移行した上面３の最低部近傍に、又、長手方向と直交して他方の流入孔５′をなす細長状孔５ａは、該細長状孔５ａの背面側末端が上記上面３の最低部近傍に位置した点において前記図１に示す実施形態のものと異なる他は、前記実施形態のものと同様であって、同様の部分は前記のものを援用する。
尚、図７（ロ）、（ハ）及び図８（イ）、（ロ）に破線で示す如く、上記上面３にはその背面側一端部の急斜面部を上方に隆起させて縁石部を形成することもでき、この場合も流入孔５，５′をなす細長状孔５ａは、幅方向の一端部から内側へ（正面側から背面側へ）向け斜降状の傾斜面となされた上面３の最低部近傍に、その全体又は一部が位置してなる。
即ち、ブロック本体２の上面３に、一方の流入孔５による長手方向にほぼ沿う方向を指向する流入部６と、他方の流入孔５′による長手方向と交差方向を指向する流入部７とが混在して形成されてなる。【００３５】  しかして、図６乃至図８に示す排水用ブロック１にあっても、上記実施形態と同様に、上面３を長手方向に沿って流下する表面水が、主として長手方向とほぼ直交する流入部７（表面水の流下方向と交差する流入孔５′）から排水路４に流下されるとともに、長手方向と直交若しくは適宜角度をなして斜めに上面３へ流入する表面水が、主として長手方向にほぼ沿う流入部６（表面水の流入方向と交差する流入孔５）から排水路４に流下、排水され、排水効率がよい。【００３６】  図９は本発明の排水用ブロックの他実施の形態を示し、本実施形態の排水用ブロック１は、流入孔５をなす細長状孔５ａの上端縁の長さ方向末端部が段状をなすべく、上面３から凹陥する凹段部５ｆがその末端部外側に平面視略円形を呈して連設された点において前記図７及び図８に示す実施形態のものと異なる他は前記実施形態のものと同様であって、その同様部分は前記のものを援用する。
しかして、本実施形態の排水用ブロック１にあっては、図９（ハ）乃至（ホ）に示す如く上記凹段部５ｆは、本来の排水孔をなす細長状孔５ａの上端縁でその外側に膨出して上面３と連なる段状を形成するため、流入孔５の上面３における開口度合を増大させることなくその上縁で上記凹段部５ｆが集水域を広めると同時に、上面３と細長状孔５ａとの間で段状を形成することで、上面３上で凹段部５ｆの周辺に集積する表面水に対して上記段状が漏斗作用を奏し、流入孔５（細長状孔５ａ）内への表面水の流入、落下を促進せしめて高い排水効率を得ることができる。
又、凹段部５ｆは、上面３の最低部近傍でブロック本体２の長手方向にほぼ沿う細長状孔５ａの両端部で平面視略円形に膨出して、その一端が前記上面３の急斜面（最低部に連なって背面側一端部に至る一傾斜面）の付根部に臨んで凹陥するため、長手方向と直交若しくは適宜角度をなして斜めに上面３へ流入する表面水の集水に加えて、上面３の最低部近傍に集積して該所を長手方向に沿って流下する表面水をも上記凹段部５ｆで幅広く捕えてその漏斗作用をもって流入孔５（細長状孔５ａ）へ効率よく流入、落下させることができる。
更に、凹段部５ｆは前記溝部５ｂと同様に、ブロック本体２の上面３に対する断面欠損、強度損失が小さいために、その強度維持に寄与することもできる。
尚、上記凹段部５ｆを具備する細長状孔５ａは全体が孔状をなすが、かかる細長状孔５ａは図９（ヘ）に示す如く、長さ方向両側に該長さ方向に沿う溝部５ｂが連通され、その溝部底面５ｃが細長状孔５ａに向かって斜降状の傾斜面となされて形成され、上記溝部５ｂの末端部に凹段部５ｆが設けられてもよい。【００３７】  尚、本発明の排水用ブロック１は上記実施形態のものに限定されることなく、本発明の意図する範囲内で種々の設計変更が可能である。
即ち、ブロック本体２は上記形状のものに限定されず、適宜の外郭形状で排水路を内在する横長の筒状体等、適宜形状で適宜長さを有し、上面３が長手方向と直交する幅方向の両端部又は一端部から適宜位置（流入孔５，５′の穿設位置）に向かって斜降状の傾斜面となされておればよい。
上記ブロック本体２の内部の排水路４の断面形状も、上記実施形態に示す如き円形状に限定されず、方形状、縦長だ円形状や卵形状、縦長円形状、欠円形状、多角形状等、適宜形状となされてもよい。【００３８】  又、流入孔５，５′に関しても、１又は複数種類のものがブロック本体２の上面３において、その傾斜面の最低部に臨んで穿設されることにより、前記上面３に長手方向にほぼ沿う方向を指向する流入部６と長手方向と交差方向を指向する流入部７とが混在して形成されればよく、その形状、数、配列等は上記実施形態に示すものに限定されず、例えて図１０に示す如き配列態様の他、任意に設定できる。
又、図２（イ）や図３及び図４の（ロ）等に示す一方の流入孔５の各溝部５ｂは、図２（ニ）に示す如き断面ほぼＵ形状の他、断面凹形状、台形状、Ｖ形状等、上面３から凹陥する適宜断面形状となされればよいし、その長さや幅も必ずしも等しくなくともよいし、又、その溝部底面５ｃも図３（ハ）に示すように、細長状孔５ａに向かって斜降状の一様な傾斜面となされてもよいし、図２（ロ）に示すように、細長状孔５ａに向かって斜降状をなす緩傾斜面が細長状孔５ａの手前で急斜面５ｃ′となされてもよく、特にこの図２（ロ）の場合には溝部５ｂ内の流水を急斜面５ｃ′によってより効率よく確実に細長状孔５ａに導くことができ好ましい。
更に、上記各実施形態に示す一方の流入孔５及び他方の流入孔５′の細長状孔５ａの形状についても細長状の適宜形状であればよいとともに、各実施形態においてその形状や大きさが互いにほぼ同様となされてもよいし、異なるようになされてもよい。
ここで、細長状を構成すべき上面３での開口幅（細長状孔５ａの上幅）も適宜に設定されればよいが、該幅を９〜１５ｍｍ程度に設定すると、車いすのキャスター、白杖の先端、ハイヒール等が落ち込まず、安全上好ましい。【００３９】  又、例えば、図２に示す一方の流入孔５の変形例として、図１１（イ）に示すように各溝部５ｂが細長状孔５ａに向かって漸次幅広状となされたり、図１１（ロ）に示すように細長状孔５ａを挟んで設けられる各溝部５ｂの位置が、図２に示すものと左右反転状に入れ替わるとともに、相互の離隔間隔が広くなされたり、又、図１２（イ）に示すように一つの細長状孔５ａに連通する溝部５ｂの数が増えたり、図１２（ロ）に示すように細長状孔５ａを挟んで溝部５ｂが非対称に連通されたり、或いは図１３（イ）及び（ロ）に示すように各溝部５ｂの一部（図１３（ロ）の左側部）又は全体（図１３（ロ）の右側部）が穿設され孔状部５ｄに変更されて細長状孔５ａ及び排水路４に連通されてもよい。【００４０】  又、細長状孔５ａの上端縁で上面３から凹陥して段状に連設される凹段部５ｆの平面形状及び連設位置も適宜であればよく、例えて図１４（イ）乃至（ヘ）に示すように、細長状孔５ａに対して単独的、連続的又は断続的、或いは対称的又は非対称的に種々平面視形状の凹段部５ｆを適宜に連設できる他、本発明の意図する範囲内で自由に設定可能であるとともに、該凹段部５ｆを長手方向と交差方向を指向する流入部７の細長状孔５ａ（長手方向両端部の半割り状態の流入孔５′を含む）に連設して流入孔５′の集水域を広めてもよいことは無論である（図５の流入孔５′に二点鎖線で例示）。
更に例えて、図４（ヘ）、図１１（イ）、（ロ）に実線又は破線で示す如く、流入孔５をなす細長状孔５ａ及び／又は溝部５ｂ（孔状のものを含む）に凹段部５ｆが適宜に連設されてもよい。【００４１】  又、上記各実施形態における流入孔５′について、例えて図１５（イ）及び（ハ）に示すように、その流入孔７をなす細長状孔５ａの上端両側に、該細長状の長さ方向に沿う溝部５ｂを連通し、該溝部底面５ｃを細長状孔５ａに向かって斜降状の傾斜面となすこともでき、当該流入孔５′よれば排水路４と直接連通してなる流入部７（細長状孔５ａ）の長さを長くすることなく、換言すれば、上面３の断面欠損、強度損失を極力抑え、且つ、延設せる溝部５ｂによって、上面３をその長手方向に流下する表面水を多量に集水するとともに、溝部底面５ｃにより細長状孔５ａに導いて排水路４へ速やかに落下、流入させることができ好ましい。尚、細長状孔５ａの両側の溝部５ｂの長さは必ずしも等しくなくともよく、又、その片側にのみ溝部５ｂを設けてもよい。更に又、図１５（ロ）及び（ニ）に示すように、溝部５ｂの先端部に前述の凹段部５ｆを追設して集水域を広めてもよい。【００４２】  又、図３に示す平面視ほぼ十字状の流入孔５も、その溝部５ｂが図１６（イ）に示すように孔状部５ｄ（排水路４に連通）に変更されて細長状孔５ａに連通され、かかる流入孔５のみがブロック本体２の上面３に設けられて他方の流入孔５′が設けられなくともよい。更に、図１６（ロ）に示すように他方の流入孔５′が三叉状の孔（各孔状部５ｄと細長孔状５ａが連通）となされるとともに、図１６（イ）に示す流入孔５と組み合わされて配列されてもよいし、前記三叉状の流入孔５′のみが配列されてもよい。更に又、各流入孔５，５′に前記凹段部５ｆが具備されてもよい。
【図面の簡単な説明】
【００４３】
【図１】  本発明の排水用ブロックの一実施の形態を示し、（イ）は正面図、（ロ）は平面図、（ハ）は左側面図、（ニ）は右側面図、（ホ）は（ロ）のＡ−Ａ拡大断面図、（ヘ）は（ロ）のＢ−Ｂ拡大断面図。
【図２】  （イ）は図１の排水用ブロックの一方の流入孔を示す一部拡大平面図、（ロ）は（イ）のＣ−Ｃ断面図、（ハ）は一方の流入孔における表面水の回動状態と集水状態を示す一部拡大断面図、（ニ）は（イ）のＧ−Ｇ拡大端面図。
【図３】  本発明の排水用ブロックの他実施の形態を示し、（イ）は平面図、（ロ）は一方の流入孔を示す一部拡大平面図、（ハ）は（ロ）のＤ−Ｄ断面図。
【図４】  本発明の排水用ブロックの一実施の形態を示し、（イ）は平面図、（ロ）は一方の流入孔における表面水の回動状態と集水状態を示す一部拡大断面図、（ハ）は（ロ）のＬ−Ｌ断面図、（ニ）は（ロ）のＭ−Ｍ断面図、（ホ）及び（ヘ）は夫々流入孔の他の例を示す平面図。
【図５】  本発明の排水用ブロックの他実施の形態を示す平面図。
【図６】  本発明の排水用ブロックの他実施の形態を示す平面図。
【図７】  本発明の排水用ブロックの他実施の形態を示し、（イ）は平面図、（ロ）は左側面図、（ハ）は右側面図。
【図８】  （イ）は図７（イ）のＨ−Ｈ拡大断面図、（ロ）は図７（イ）のＪ−Ｊ拡大断面図。
【図９】  本発明の排水用ブロックの他実施の形態を示し、（イ）は平面図、（ロ）は左側面図、（ハ）は（イ）のＫ−Ｋ拡大断面図、（ニ）は（ハ）のｂ部拡大図、（ホ）は（イ）のａ部拡大図、（ヘ）は流入孔の他の例を示す平面図。
【図１０】  本発明の排水用ブロックの他実施の形態を示す平面図。
【図１１】  （イ）及び（ロ）は夫々流入孔の他の例を示す平面図。
【図１２】  （イ）及び（ロ）は夫々流入孔の他の例を示す平面図。
【図１３】  流入孔の他の例を示し、（イ）は平面図、（ロ）は（イ）のＥ−Ｅ断面図。
【図１４】  （イ）乃至（ヘ）は夫々流入孔の他の例を示す平面図。
【図１５】  流入孔の他の例を示し、（イ）及び（ロ）は平面図、（ハ）は（イ）のＦ−Ｆ断面図、（ニ）は（ロ）のＮ−Ｎ断面図。
【図１６】  （イ）及び（ロ）は夫々本発明の排水用ブロックの他実施の形態を示す平面図。
【符号の説明】
【００４４】  １  排水用ブロック
２  ブロック本体
３  上面
４  排水路
５，５′  流入孔
５ａ  細長状孔
５ｂ  溝部
５ｃ  溝部底面
５ｃ′  急斜面
５ｄ  孔状部
５ｆ  凹段部
６，７  流入部
【図１】
2007092502.tif 000003
【図２】
2007092502.tif 000004
【図３】
2007092502.tif 000005
【図４】
2007092502.tif 000006
【図５】
2007092502.tif 000007
【図６】
2007092502.tif 000008
【図７】
2007092502.tif 000009
【図８】
2007092502.tif 000010
【図９】
2007092502.tif 000011
【図１０】
2007092502.tif 000012
【図１１】
2007092502.tif 000013
【図１２】
2007092502.tif 000014
【図１３】
2007092502.tif 000015
【図１４】
2007092502.tif 000016
【図１５】
2007092502.tif 000017
【図１６】
2007092502.tif 000018